(57)【要約】本発明は、ハロゲンランプに係る。当該ハロゲンランプは、少なくとも２つのバーナーと、異なる照明効果を達成するよう、例えば異なる照射角又は異なる照射明度モード等を達成するよう、少なくとも２つのバーナーを交互に操作するよう制御する電源トグル制御手段とを有する。
2008539544.tif 000002
【特許請求の範囲】
【請求項１】
ハロゲンランプであって：
少なくとも２つのバーナーと；
異なる照明効果を達成するよう、前記少なくとも２つのバーナーを交互に操作するよう制御する、電源トグル制御手段と、
を有する、
ハロゲンランプ。
【請求項２】
前記電源トグル制御手段は、安定コントローラを有する、
請求項１記載のハロゲンランプ。
【請求項３】
前記安定コントローラは、双安定フリップフロップである、
請求項２記載のハロゲンランプ。
【請求項４】
前記電源トグル制御手段は、電源の遮断を検出し、且つ前記安定コントローラに対して制御信号を出力する、電源遮断検出器を更に有する、
請求項２記載のハロゲンランプ。
【請求項５】
前記電源遮断検出器によって検出される電源電圧の遮断時間は、１乃至４秒である、
請求項４記載のハロゲンランプ。
【請求項６】
前記電源トグル制御手段は：
・  ＡＣ電源電圧をＤＣ電圧に変換するＡＣ／ＤＣコンバータと；
・  前記ＤＣ電圧を前記バーナーによって求められる前記ＡＣ電圧に変換するコンバータと、
を更に有する、
請求項４記載のハロゲンランプ。
【請求項７】
前記コンバータは、フライバックコンバータと、プルプッシュコンバータと、ハーフブリッジコンバータとを有する群から選択される、
請求項６記載のハロゲンランプ。
【請求項８】
前記ＡＣ／ＤＣコンバータは、ダイオード整流ブリッジである、
請求項６記載のハロゲンランプ。
【請求項９】
前記コンバータは、１２ボルトの高周波電圧を出力する、
請求項６記載のハロゲンランプ。
【請求項１０】
反射キャップを更に有する、
請求項１記載のハロゲンランプ。
【発明の詳細な説明】
【技術分野】
【０００１】
本発明は、ハロゲンランプに係り、特には、複数の照明モードを実現することができるハロゲンランプに係る。
【背景技術】
【０００２】
ハロゲンランプは、多種の分野においてますます広く利用されてきている。白熱ランプと比較して、ハロゲンランプは、ヨウ素及び臭素等である複数のハロゲン化物要素がランプのバーナー及びガラスシェルへと加えられる、ことを特徴とする。その一意性は、照明に対するタングステンフィラメントが「自己再生（ｓｅｌｆ−ｒｅｇｅｎｅｒａｔｉｏｎ）」を実現し得、バーナーの寿命を大幅に延長させる、ことにある。したがって、ハロゲンランプのバーナーは、比較的小さく作られ得、故にランプの大きさ（ｂｕｌｋ）も小さい。ハロゲンランプは、一般的に、例えば居間におけるテーブル又は局部のライティング（ｌｉｇｈｔｉｎｇ）に対するライティング等である、照明（ｉｌｌｕｍｉｎａｔｉｎｇ）の集中が必要とされる場所において使用される。
【０００３】
ハロゲンランプの広い適用を有して、ハロゲンランプを有する多種の可能な構成要素（ランプホルダ、反射体、及び電気回路等）を全体的システムへと統一し、複数の用途を有する、あるいは複数のモードで作動するハロゲンランプが実現され得るよう、試みられている。
【０００４】
電源トグル（ｍａｉｎｓ−ｔｏｇｇｌｅ）と称される方法は、エンドユーザとランプとの間の伝達（ｃｏｍｍｕｎｉｃａｔｉｏｎ）に対して実行される。デュオライトランプ（Ｄｕｏ−ｌｉｇｈｔ  ｌａｍｐ）を一例として、電源スイッチ（ｍａｉｎｓ  ｓｗｉｔｃｈ）の短い遮断は、ランプの２つのバーナーを交互に作動させ、また、ランプをバーナーの一方のフルライトモードから他方のバーナーのＬＥＤモード（より低い光出力モード）に切り替える。
【発明の開示】
【発明が解決しようとする課題】
【０００５】
本発明によれば、ハロゲンランプが与えられる。当該ハロゲンランプは、少なくとも２つのバーナーと、異なる照射角又は異なる照射明度モード等である異なる照明効果を達成するよう、少なくとも２つのバーナーを交互に操作するよう制御する電源トグル制御手段とを有する。
【課題を解決するための手段】
【０００６】
本発明の一態様によれば、少なくとも２つのバーナー、及び、異なる照明効果を達成するよう、少なくとも２つのバーナーを交互に操作するよう制御する電源トグル制御手段を有する、ハロゲンランプが与えられる。
【０００７】
望ましくは、電源トグル制御手段は、安定コントローラを有する。
【０００８】
望ましくは、安定コントローラは、双安定フリップフロップである。
【０００９】
望ましくは、電源トグル制御手段は更に、電源の遮断を検出し、且つ安定コントローラに対して制御信号を出力する、電源遮断検出器を有する。
【００１０】
望ましくは、電源遮断検出器によって検出される電源電圧の遮断時間は、１乃至４秒である。
【００１１】
望ましくは、電源トグル制御手段は更に、ＡＣ電源電圧をＤＣ電圧に変換するＡＣ／ＤＣコンバータ、及び、ＤＣ電圧をバーナーによって求められるＡＣ電圧に変換するコンバータ、を有する。
【００１２】
望ましくは、コンバータは、フライバックコンバータと、プルプッシュコンバータと、ハーフブリッジコンバータとを有する群から選択される。
【００１３】
望ましくは、ＡＣ／ＤＣコンバータは、ダイオード整流ブリッジである。
【００１４】
望ましくは、コンバータは、１２ボルトの高周波電圧を出力する。
【００１５】
望ましくは、ハロゲンランプは更に、反射キャップを有する。
【発明を実施するための最良の形態】
【００１６】
本発明自体、並びに、更なる目的及び利点は、以下の詳細な説明及び添付の図面を参照して明らかにされ得る。
【００１７】
本発明は、複数の異なる照射角又は異なる輝度等である複数の照明効果を実現できるハロゲンランプを与える。かかるハロゲンランプは、少なくとも２つのバーナー、及び、上述された複数の照明効果を達成するよう、少なくとも２つのバーナーを交互に操作するよう制御する電源トグル制御手段を有する。
【００１８】
一例として２つのバーナーを有して、本発明の原理は、以下において説明される。本発明が２つのバーナーを有する場合に制限されないことは留意され、また、複数のバーナーが交互に操作されるよう制御されることは、当業者にとって明らかである。
【００１９】
ランプが最初にスイッチをオンにされる際、第１のバーナーが電力を供給される。例えば１乃至４秒間の電源スイッチ又はブレーカーを用いる電源の短い遮断は、第２のバーナーを操作するよう電源トグル制御手段を切り替える。電源スイッチが再度１−４秒間遮断される際、電源トグル制御手段は、第２のバーナーの電力供給をオフに切り替え、続いて再度第１のバーナーに電力を供給する。
【００２０】
上述された通り、ランプのかかる複数の安定操作は、広角照明又は狭角照明、高輝度ライティング又は低輝度ライティング等である異なる照明効果を達成するよう、エンドユーザが必要に応じてランプの複数の操作モードの１つを選択し得る適用を、エンドユーザに与える。
【００２１】
図１は、本発明に従ったハロゲンランプの一実施例を図示する。ハロゲンランプは、キャップ１、シェル２、電子回路基板３、バルブ４、及び反射体７を有する。バルブ４は、第１のバーナー５及び第２のバーナー６を有する。電子回路基板３は、交互に作動するよう２つのバーナーを操作する電源トグル制御手段を有する。第１のバーナー５又は第２のバーナー６のいずれかが作動する際、反射体の構造を有するバーナーによって放射される光によって、ランプは、エンドユーザが２つの異なるモード間におけるハロゲンランプの操作の切替えを制御し得るよう、広角の光又は狭角の光を放射する。
【００２２】
図２は、本発明に従ったハロゲンランプにおいて適用される電源トグル制御手段の概略図である。ここでは一例として、交互に操作される２つのバーナーを有する場合が説明される。
【００２３】
図２中に示される通り、電源トグル制御手段において、電源電圧は、ＡＣ／ＤＣコンバータモジュールに対して接続される。該ＡＣ／ＤＣコンバータモジュールは、技術的に周知であるダイオード整流ブリッジを有して実施され得、また、電源電圧をＤＣ電圧に整流するよう機能する。出力ＤＣ電圧は、それに接続されるコンバータに電力を供給するよう使用される。このコンバータは、ＤＣ電圧をバーナーによって必要とされるＡＣ電圧に変換するよう使用され、周知であるフライバックコンバータ、プルプッシュコンバータ、又はハーフブリッジコンバータを有して実施され得る。
【００２４】
コンバータは、整流されたＤＣ電圧を有して入力され、可能な１２ボルト高周波電圧を出力する。この高周波電圧は、第１のバーナー及び第２のバーナーの夫々の電極に対して供給され、それらに電力を供給する。
【００２５】
電源電圧の遮断は、電源遮断検出器を用いて検出される。１乃至４秒の遮断等である電源電圧の遮断に関する情報は、電源遮断検出器に対する入力として使用される。電源遮断検出器によって出力される情報は、安定コントローラに対する入力であり、スイッチＴ１及びＴ２を交互にトリガするよう、電源の各遮断が安定コントローラの出力をトグルし得るようにされる。このようにして、第１のバーナー及び第２のバーナーは、夫々、対向する状態においてスイッチをオン及びオフにされる。ここでは、安定コントローラは、周知である双安定フリップフロップを有して実施され得る。
【００２６】
この実施例では、一例として、電源電圧の遮断の期間は、１乃至４秒であり得る。しかしながら、この期間は、エンドユーザによって任意に設定され得る。
【００２７】
電源電圧のより長い遮断によって、システムは、その初期状態に戻らされる。この初期状態は、システム設計に依存して、第１のバーナーの操作モード又は第２のバーナーの操作モードであり得る。
【００２８】
本発明は、望ましい実施例を参照して説明及び図示されてきたが、多種の変更及び修正は、当業者にとって明らかであり、また、添付の請求項によってのみ制限される本発明の範囲内である。例えば、２つより多いバーナーは使用され得、電源トグル制御手段は、一体的なハロゲンランプを形成するようランプの内側に位置決めされ得るか、従来のハロゲンランプであるランプの外側に位置決めされ得るか、あるいは、ランプのボディから離され得る。他のスイッチング回路、又は複数のモードから１つを選択する機能を実施し得る同様のもの等は、使用され得る。本明細書は、説明及び例証することを目的とするものであり、制限するものではない、ことは明らかに理解されるべきである。
【図面の簡単な説明】
【００２９】
【図１】本発明に従ったハロゲンランプの一実施例を図示する。
【図２】本発明に従ったハロゲンランプにおいて適用される電源トグル制御手段を概略的に図示する。
【図１】
2008539544.tif 000003
【図２】
2008539544.tif 000004
【国際調査報告】
2008539544.tif 000005
2008539544.tif 000006